(57)【要約】【課題】回転ドラム内の洗濯物が偏らず、洗浄性能を向上させることが可能な洗濯機を提供する。【解決手段】開口３０側を上向きとして傾斜姿勢に支持されている回転ドラム３内にバッフル３３が設けられている。バッフル３３の一方の側面には、１つの凸部３４及び３つの凸部３５が並設されている。回転ドラム３の開口３０側に配置される凸部３４は、切欠部が水平面に対して真上方向よりも回転ドラム３の底面側に偏倚した位置に配置されるように設けられている。一方、回転ドラム３の底面側に配置される凸部３５は、切欠部が水平面に対して真上方向又は真上方向よりも開口３０側に偏倚した位置に配置されるように設けられている。【選択図】図２
2014042740.tif 000002
【特許請求の範囲】
【請求項１】
水槽と、該水槽の内部に回転可能に収容された回転ドラムと、該回転ドラムの内周面から突設されており、軸長方向に長いバッフルとを備える洗濯機において、
前記バッフルは、両側面の少なくとも一方に前記軸長方向に並設された複数の凸部を有しており、
前記軸長方向の一端側の凸部には、前記バッフルの突設端側で、前記軸長方向の他端側に偏倚した箇所に切欠部が設けられており、
その他の凸部には、前記バッフルの突設端側で、前記軸長方向の一端側に偏倚した箇所に切欠部が設けられていることを特徴とする洗濯機。
【請求項２】
前記凸部は、前記側面に平行な断面が三日月形状をなしていることを特徴とする請求項１に記載の洗濯機。
【請求項３】
前記側面のそれぞれに、異なる数の凸部が設けられていることを特徴とする請求項１又は２に記載の洗濯機。
【請求項４】
前記回転ドラムが傾斜して設けられており、
前記一端側の凸部よりも、前記その他の凸部が多く設けてあることを特徴とする請求項１から３までのいずれかひとつに記載の洗濯機。
【発明の詳細な説明】
【技術分野】
【０００１】
本発明は、水槽の内部にて回転する回転ドラムの内周壁面にバッフルが設けられている洗濯機に関する。
【背景技術】
【０００２】
近年、ドラム式の洗濯乾燥機が広く普及している。ドラム式の洗濯乾燥機は、有底円筒形の水槽を、一側の開口部を横向きとした横姿勢、又は斜め上向きとした斜め横姿勢にて外筐内に支持し、この水槽の内部に、同軸上での回転自在に有底円筒形の回転ドラムを収容して構成されている。
回転ドラムは、水槽の開口部と同側に開口する投入口を有しており、水槽の外部底面に固定したドラムモータにより回転駆動される。洗濯物は、投入口を経て回転ドラムの内部に投入され、水槽及び回転ドラムの底部に溜まる洗濯水中に浸される。回転ドラムの内部には、内周壁面から１又は複数のバッフルが突出するように設けられている。回転ドラム内の洗濯物は、回転ドラムが回転する際に、バッフルの作用によって持ち上げられ、適当な高さから落下する。このような回転ドラムの回転による持ち上げ及び落下が繰り返され、落下時に洗濯物が回転ドラムの周面に叩きつけられることにより、いわゆる、たたき洗いが行われる。
【０００３】
ドラム式の洗濯乾燥機では、洗濯物の持ち上げが良好に行われるように、バッフルの形状に様々な工夫が行われている。例えば、特許文献１では、洗濯物への回転ドラムの回転伝達力を弱めることなく、バッフルの容積を小さくするために、バッフルの断面を階段状にした洗濯機が提案されている。また特許文献２では、回転ドラムの第１の回転方向側の第１の側面が凹状面に形成され、回転ドラムの第２の回転方向側の第２の側面が凸状面に形成されたバッフルを有する洗濯機が提案されている。
【先行技術文献】
【特許文献】
【０００４】
【特許文献１】特開２００７−２６７７８４号公報
【特許文献２】特開２００９−４５３７９号公報
【発明の概要】
【発明が解決しようとする課題】
【０００５】
特許文献１，２に開示された洗濯機では、洗濯物の持ち上げを良好に行うことは可能である。しかしながら、洗濯物の持ち上げ及び落下を繰り返す単調なたたき洗いだけでは、回転ドラムの軸長方向に洗濯物の入れ替りは生じない。また、斜め横姿勢にて支持されている回転ドラムでは、洗濯物が回転ドラムの底面側に溜まってしまう可能性が高い。このような状況では、回転ドラム内の洗濯物の位置に偏りが生じ、洗浄効果にばらつきが生じるので、洗浄性能の向上には限界があるという問題がある。
【０００６】
本発明は斯かる事情に鑑みてなされたものである。その目的とするところは、回転ドラム内の洗濯物が偏らず、洗浄性能を向上させることが可能な洗濯機を提供することにある。
【課題を解決するための手段】
【０００７】
本発明に係る洗濯機は、水槽と、該水槽の内部に回転可能に収容された回転ドラムと、該回転ドラムの内周面から突設されており、軸長方向に長いバッフルとを備える洗濯機において、前記バッフルは、両側面の少なくとも一方に前記軸長方向に並設された複数の凸部を有しており、前記軸長方向の一端側の凸部には、前記バッフルの突設端側で、前記軸長方向の他端側に偏倚した箇所に切欠部が設けられており、その他の凸部には、前記バッフルの突設端側で、前記軸長方向の一端側に偏倚した箇所に切欠部が設けられていることを特徴とする。
【０００８】
本発明によれば、バッフルに設けられた複数の凸部において、切欠部の位置を異ならせることにより、回転ドラムの回転時に回転ドラム内の洗濯物及び洗濯水が凸部と衝突することによって変化する洗濯物及び洗濯水の移動方向を、凸部毎に異ならせることができる。例えば、回転ドラムの軸長方向の他端側に偏倚した箇所に切欠部を有する凸部によれば、回転ドラムの回転時に洗濯物及び洗濯水が凸部と衝突することによって、洗濯物及び洗濯水を軸長方向の他端側に移動させることができる。また、軸長方向の一端側に偏倚した箇所に切欠部を有する凸部によれば、回転ドラムの回転時に洗濯物及び洗濯水が凸部と衝突することによって、洗濯物及び洗濯水を軸長方向の一端側に移動させることができる。
【０００９】
本発明に係る洗濯機は、前記凸部は、前記側面に平行な断面が三日月形状をなしていることを特徴とする。
【００１０】
本発明によれば、バッフルに設けられた凸部が、三日月形状の断面を有する形状に形成されている。よって、湾曲面を有する切欠部によって、回転ドラムの回転時に洗濯物及び洗濯水を効率よく所定の方向に導くことができる。
【００１１】
本発明に係る洗濯機は、前記側面のそれぞれに、異なる数の凸部が設けられていることを特徴とする。
【００１２】
本発明によれば、バッフルの２つの側面のそれぞれに設けられる凸部の数を異ならせることにより、回転ドラムの異なる回転方向のそれぞれにおいて、洗濯物及び洗濯水の移動方向を異ならせることが可能となる。よって、回転ドラムの回転方向を適宜切り替えることにより、洗濯物及び洗濯水の移動方向が適宜切り替えられ、洗濯物を効率よく撹拌することができるので、洗浄性能の向上が可能となる。
【００１３】
本発明に係る洗濯機は、前記回転ドラムが傾斜して設けられており、前記一端側の凸部よりも、前記その他の凸部が多く設けてあることを特徴とする。
【００１４】
本発明によれば、回転ドラムが傾斜して設けられており、回転ドラムの軸長方向の一端側に設けられた凸部よりも、他端側に多くの凸部を設けることにより、傾斜した回転ドラムの回転時に洗濯物及び洗濯水を効率よく所定の方向に導くことができる。
【発明の効果】
【００１５】
本発明においては、洗濯物を持ち上げ、落下させることによるたたき洗いだけでなく、回転ドラムの軸長方向においても洗濯物を移動させることができる。よって、回転ドラム内の洗濯物が、上下方向だけでなく回転ドラムの軸長方向（略水平方向）にも移動及び入れ替わるので、回転ドラム内の洗濯物の位置に偏りが生じ難く、洗浄性能を向上させることができる。
【図面の簡単な説明】
【００１６】
【図１】実施形態に係る洗濯乾燥機の外観を略示する斜視図である。
【図２】実施形態に係る洗濯乾燥機の内部構成を略示する縦断面図である。
【図３】水槽の後側から見た循環風路の平面図である。
【図４】回転ドラムの内周壁面の態様を示す模式図である。
【図５】バッフルの斜視図である。
【発明を実施するための形態】
【００１７】
以下に、本発明に係る洗濯機を、その実施形態である洗濯乾燥機を示す図面に基づいて詳述する。図１は、実施形態に係る洗濯乾燥機の外観を略示する斜視図、図２は、実施形態に係る洗濯乾燥機の内部構成を略示する縦断面図である。
【００１８】
図２に示すように、本実施形態の洗濯乾燥機は、外装を構成する外筐１の内部に水槽２及び回転ドラム３を備えている。水槽２は、一側に開口２０を備える大径の有底円筒体であり、外筐１の底面に立設された複数本の支持脚２１（１本のみ図示）により、開口２０の側を上向きとし、水平面に対して軸心を傾けた傾斜姿勢を保って弾性支持されている。
【００１９】
外筐１の前面（図２の左側面）には、水槽２の開口２０を臨む位置に、蓋体１０により開閉自在に洗濯物の投入口１１が開設されており、この投入口１１と水槽２の開口２０との間は、ベローズ１２により液密に封止されている。
水槽２の内部には、回転ドラム３が収容されている。回転ドラム３は、水槽２よりもやや小径の有底円筒体であり、一側の開口３０を水槽２の開口２０の内側に臨ませ、水槽２の底部中央に固設されたドラムモータ４の出力軸４０の端部に連結してある。このように、回転ドラム３は、ドラムモータ４の駆動により、水槽２の内部にて水槽２と同軸状に回転するように構成されている。
【００２０】
回転ドラム３は、開口３０の外側に周設された流体バランサ３１を備えている。流体バランサ３１は、回転ドラム３の回転時に、これに伴う振動を吸収、緩和する作用をなす。ドラムモータ４は、水槽２の底板の外側に連設されたモータ室４１の内部に構成してある。ドラムモータ４の出力軸４０は、水槽２の底板を液密に貫通し、該底板の中央に突出しており、回転ドラム３は、この突出端部に連結してある。
【００２１】
図２に示すように回転ドラム３の周壁には、多数の小孔３２が全面に亘って貫通形成されており、また回転ドラム３の内面には、軸長方向に延びるバッフル３３が周方向に等配をなして３つ（図４参照）突設されている。なお図２中には、図面の煩雑化を避けるべく、小孔３２の一部と一つのバッフル３３のみを図示してある。
【００２２】
図１に示すように、外筐１の前面には、蓋体１０の近傍にドア開ボタン１３が設けてある。また蓋体１０には、蓋体１０の閉止時に押圧操作するための押圧部１４が設けてある。蓋体１０は、ドア開ボタン１３の操作により開放され、また周縁部を把持して閉操作し、押圧部１４を外側から押すことにより閉止される。外筐１の前面に設けた投入口１１は、水槽２及び回転ドラム３の開口２０，３０に臨ませてある。
【００２３】
以上の如く構成された洗濯乾燥機の洗濯運転は、蓋体１０を開放し、投入口１１の内側に位置する開口２０，３０を経て回転ドラム３内に洗濯物を投入し、蓋体１０を閉止した後、後述するように、水槽２の内部に洗濯水を供給し、ドラムモータ４を駆動して回転ドラム３を回転せしめて実施される。前述のように回転ドラム３の周壁には、多数の小孔３２が貫通形成され、また回転ドラム３の内面には、複数のバッフル３３が突設されている。よって、回転ドラム３の内部の洗濯物は、小孔３２を経て回転ドラム３内に流入する洗濯水中に浸され、バッフル３３の作用による持ち上げ及び落下が繰り返されることにより、洗濯水と共に攪拌され、また落下時に回転ドラム３の内面に叩きつけられて洗濯される。
【００２４】
図１に示すように、外筐１の前面上部には、各種の操作のための操作部及び各種の表示のための表示部を備える操作パネル１５が設けてある。操作パネル１５は、これの内側に位置して外筐１の内部に設けた運転制御部１６（図２参照）に接続してある。以上の如き洗濯運転、及び後述する乾燥運転、更には、これらの間に実施される脱水運転は、操作パネル１５の操作に応じた運転制御部１６の動作により、一連の処理、又は個々に独立した処理として実行される。
【００２５】
図１に示すように、外筐１の後部上面には、水道等の給水源への接続端となる給水口１７が設けてある。図２に示すように、給水口１７は、外筐１の内側に設けた給水弁１８に接続してある。給水弁１８は、複数の給水出口を有する多連形の電磁弁である。
給水弁１８の第１給水出口は、給水管１９を介して水槽２の上部周面に接続されており、給水弁１８が第１給水出口に切り換えられた場合、給水口１７への給水は、給水弁１８及び給水管１９を経て水槽２の内部に送り込まれ、前述した洗濯運転における洗濯水として使用される。なお給水管１９の中途には、公知のように洗剤ケースを配置し、給水と共に適量の洗剤が導入されるように構成することができる。
【００２６】
また水槽２には、最下位置となる底板近傍の周面に導水管２２が接続されている。導水管２２は、外筐１内側の前下部に固定支持された筒形のフィルタケース２３に接続されている。フィルタケース２３の内部には、繊維屑等の異物を捕捉するリントフィルタ２４が収容されている。フィルタケース２３の下部は、排水弁２５を介して外筐１の底面に沿って敷設された排水管２６に接続されている。またフィルタケース２３の後端部には、循環ポンプ２７が付設してあり、循環ポンプ２７の吐出側は、戻し管２８を介して水槽２の前側上部に連通されている。
【００２７】
水槽２内に供給される洗濯水は、導水管２２を経てフィルタケース２３に導入され、該フィルタケース２３の内部に充満する。フィルタケース２３の内部の洗濯水は、循環ポンプ２７を駆動することにより、該循環ポンプ２７に吸い込まれて加圧され、戻し管２８を経て水槽２の上部に送られ、該戻し管２８の先端から、シャワー状に拡がって回転ドラム３の内部に供給される。
【００２８】
循環ポンプ２７は、前述した洗濯運転中に連続的に又は間欠的に駆動される。この駆動により回転ドラム３内に供給される洗濯水は、回転ドラム３内の洗濯物に降り注ぎ、洗濯効果を高めることができる。フィルタケース２３の内部に設けたリントフィルタ２４は、循環する洗濯水中に含まれる繊維屑等の異物を捕捉、除去する作用をなす。
【００２９】
フィルタケース２３の下部に設けられた排水弁２５は、洗濯運転の後に開放される。この開放により水槽２内部の洗濯水は、導水管２２及びフィルタケース２３を経て排水管２６に排水される。この排水に際しても、洗濯水中に含まれる異物は、フィルタケース２３内のリントフィルタ２４に捕捉、除去され、排水管２６を経て下水管に排出される虞れがない。
【００３０】
洗濯乾燥機の乾燥運転は、以上の洗濯運転の後、脱水運転を経て実施される。この乾燥運転においては、ドラムモータ４の駆動により回転ドラム３を回転させると共に、該回転ドラム３の内部に乾燥風が循環せしめられる。
【００３１】
図２中には、乾燥風の循環風路が略示してある。循環風路５は、水槽２の下部底面に開設された導出口５０と、水槽２の前部の開口２０の周縁部に開設された導入口５１とを上行ダクト５２と前行ダクト５３とにより連絡して構成されている。
【００３２】
図３は、水槽２の後側から見た循環風路５の平面図である。上行ダクト５２は、ドラムモータ４が設けられた水槽２の中央部から一側に偏倚した位置に設けてある。上行ダクト５２の下端部は、水槽２の下位置近傍で横向きに屈曲され、導出口５０を覆うカバー管５４に蛇腹管５５を介して接続してある。蛇腹管５５は、弾性支持された水槽２の振動を吸収し、固定支持された上行ダクト５２への伝播を防止すべく設けてある。
【００３３】
上行ダクト５２の上端部は、前行ダクト５３の後端部に連結してある。前行ダクト５３は、図２に示すように、水槽２の上側の外筐１の内部空間に配してある。前行ダクト５３の前端部は、水槽２の前側上部の周縁に開口する導入口５１に接続されている。また前行ダクト５３の中途部には、塵埃捕捉用のリントフィルタ５６、乾燥風を起風する送風ファン５７、及び乾燥風を加熱するＰＴＣ（Positive Temperature Coefficient）ヒータ５８（又はシーズヒータ）が、後側から前側にこの順に介装してある。
【００３４】
給水弁１８の第２給水出口は、冷却水管５９を介して上行ダクト５２に接続してある。給水弁１８が第２給水出口に切り換えられた場合、給水口１７への給水は、冷却水管５９を経て上行ダクト５２の内部に送り込まれる。
【００３５】
図２に示すように冷却水管５９は、給水弁１８の位置から上行ダクト５２に沿って下方に延設されており、該冷却水管５９の下端は、図３に示すように、上行ダクト５２の下部に接続されている。この接続位置は、前述の如く設けた屈曲部の上であって、屈曲円の内側に偏倚した位置に設定してある。
【００３６】
以上のように構成された循環風路５には、送風ファン５７が起風する乾燥風が循環し、この乾燥風は、ＰＴＣヒータ５８により加熱され、前行ダクト５３を経て導入口５１に達し、該導入口５１から回転ドラム３の内部に吹きこまれる。このとき回転ドラム３の内部の洗濯物は、回転ドラム３の回転に伴って、周面のバッフル３３の作用により持ち上げられ、拡がって落下し、この間に前記乾燥風に繰り返し接触することにより乾燥せしめられる。
【００３７】
回転ドラム３内に導入された乾燥風は、洗濯物から水分を奪って湿り空気となり、導出口５０に導出され、カバー管５４、蛇腹管５５を経て上行ダクト５２内に入る。乾燥風は、上行ダクト５２内を上昇して前行ダクト５３内に移行し、リントフィルタ５６を通過して塵埃を捕捉され、ＰＴＣヒータ５８により再加熱されて回転ドラム３の内部に導入される。
【００３８】
冷却水管５９に供給される水は、導出口５０に導出された乾燥風を冷却し、洗濯物から奪った水分を凝縮除去するための冷却水として使用される。
冷却水管５９から供給される冷却水は、上行ダクト５２の底面上に溜まり、導出口５０に導出される乾燥風と接触する。この接触により乾燥風は、冷却水との熱交換により冷却、除湿されて乾き空気となり、上行ダクト５２に導入され、該上行ダクト５２の内部を上昇する。従って、上行ダクト５２の上端に連続する前行ダクト５３には、水分及び水滴を含まない乾燥風が導入され、水滴の付着によるリントフィルタ５６の目詰まりの発生を有効に抑制することができる。
【００３９】
以上の如く実施される乾燥運転中、排水弁２５は開放されており、上行ダクト５２内に供給される冷却水は、蛇腹管５５及びカバー管５４を通って水槽２内に流入し、導水管２２及びフィルタケース２３を経て排水管２６に排水される。
【００４０】
洗濯乾燥機の脱水運転は、排水弁２５が開放されて水槽２内の洗濯水が排水された後、ドラムモータ４の駆動により回転ドラム３が高速回転されることで実施される。回転ドラム３内の洗濯物は、高速回転に伴う遠心力の作用により回転ドラム３の内面に押し付けられて回転し、該洗濯物に含まれる水は、回転ドラム３の周壁に設けた小孔３２を通って水槽２内に流出し、導水管２２及びフィルタケース２３を経て排水管２６に排水される。
【００４１】
次に、バッフル３３の形状について説明する。本発明の特徴はバッフル３３にある。図４は、回転ドラム３の内周壁面の態様を示す模式図、図５は、バッフル３３の斜視図である。なお、図４は、回転ドラム３を開口３０側から見た状態を略示している。
図４に示すように、回転ドラム３の内周面には、周方向に等間隔で、回転ドラム３の軸長方向に長い３つのバッフル３３が設けられている。なお、バッフル３３の数は３つに限らず、１つ、２つ又は４つ以上であってもよい。
【００４２】
バッフル３３は、山形の軸断面を有しており、傾斜した２つの側面３３ａ（図５では１つのみ図示）の一方（図５では手前側の側面３３ａ）には、長手方向の一端側（回転ドラム３の開口３０側）に１つの凸部３４が設けられており、他端側に３つの凸部３５が設けられている。１つの凸部３４及び３つの凸部３５は、バッフル３３の長手方向（回転ドラム３の軸長方向）に等間隔に並設されている。凸部３４，３５のそれぞれは、側面３３ａに平行な断面が、円形の一部を切り欠いた三日月形状をなしており、それぞれ切り欠かれた切欠部３４ａ，３５ａを有する。
なお、バッフル３３は、洗濯乾燥機の運転中、回転ドラム３内の洗濯物と接触するので、その際に洗濯物を傷めないために角部が面取りされた形状に形成されている。同様の理由から、凸部３４，３５は、中央部分が盛り上がるような、深さの浅い椀形状に形成されている。従って、凸部３４，３５の一部を切り欠けばほぼ三日月形状となる。
【００４３】
本実施形態では、４つの凸部３４，３５が全て同じ形状に形成されているが、長手方向の一端側に設けられた１つの凸部３４と、その他の３つの凸部３５とは、切欠部３４ａ，３５ａの位置が異なるように設けられている。具体的には、凸部３４は、切欠部３４ａがバッフル３３の頂部側（突設端側）に配置されるように設けてあり、凸部３５は、切欠部３５ａがバッフル３３の頂部側で長手方向の一端側に少し偏倚した位置に配置されるように設けてある。
【００４４】
図５に示すバッフル３３は、他端側が回転ドラム３の底面に当接され、山形状の基部が回転ドラム３の内周面に当接された状態で回転ドラム３に取り付けられる。本実施形態の洗濯乾燥機は、水槽２及び回転ドラム３が、開口２０，３０側を上向きとし、水平面に対して傾斜姿勢に支持されている。このような回転ドラム３に上述した構成のバッフル３３を取り付けた場合、バッフル３３が水平面に対して傾斜した状態で取り付けられる。よって、バッフル３３が回転ドラム３に取り付けられた状態では、凸部３４の切欠部３４ａは、図２に示すように、水平面に対して真上方向よりも洗濯機の背面側に偏倚した位置に配置される。また、凸部３５の切欠部３５ａは、図２に示すように、水平面に対して真上方向又は真上方向よりも回転ドラム３の開口３０側に偏倚した位置に配置される。
【００４５】
このようなバッフル３３を備える洗濯乾燥機では、図４において回転ドラム３が反時計回りに回転する場合、回転ドラム３中の洗濯物及び洗濯水が凸部３４，３５と衝突し、図５中の矢符Ａ，Ｂで示す方向にそれぞれ導かれる。なお、洗濯水が矢符Ａ，Ｂの方向に導かれることにより、凸部３４，３５と直接衝突していない洗濯物も、洗濯水の流れに伴って矢符Ａ，Ｂの方向に移動する。ここで矢符Ａで示す方向は、洗濯物及び洗濯水が回転ドラム３の底面側に導かれる方向であり、矢符Ｂで示す方向は、洗濯物及び洗濯水が回転ドラム３の開口３０側に導かれる方向である。
【００４６】
本実施形態の洗濯乾燥機では、回転ドラム３が傾斜しているので、回転ドラム３内の洗濯物は回転ドラム３の底面側に溜まる傾向があるが、３つの凸部３５によって開口３０側への移動を効果的に行うことができる。また、開口３０側に移動した洗濯物は、開口３０側に設けられた１つの凸部３４だけでも、傾斜している回転ドラム３の回転に合わせて回転ドラム３の底面側に導かれる。これにより、回転ドラム３内の洗濯物が、バッフル３３によって持ち上げられて落下することによって上下方向に移動するだけでなく、回転ドラム３の底面側から開口３０側に、また開口３０側から底面側にも効果的に移動する。このように上下方向だけでなく、回転ドラム３の軸長方向（洗濯乾燥機の前後方向）にも洗濯物の移動及び入れ替わりが生じる状況で洗濯運転を行うことにより、回転ドラム３内の洗濯物の位置が偏らず、洗濯物を効率よく撹拌できるので、洗浄性能を向上させることができる。
【００４７】
本実施形態では、一方の側面３３ａにのみ凸部３４，３５が設けてある。このような構成とすることにより、図４において時計回りに回転ドラム３が回転する場合と、反時計回りに回転ドラム３が回転する場合とにおいて、洗濯物及び洗濯水の移動方向を異ならせることができる。これにより、回転ドラム３の回転方向を適宜切り替えることにより、洗濯物の移動方向を適宜切り替えることができ、洗浄性能を向上させることができる。
なお、バッフル３３の両方の側面３３ａに凸部３４，３５を設けてもよい。この場合、回転ドラム３の回転方向に依らず、洗濯物を上下方向だけでなく回転ドラム３の軸長方向にも効率よく移動させることができる。
【００４８】
本実施形態では、バッフル３３に設けられた凸部３４，３５は、三日月形状の断面を有する形状に形成されているが、このような形状に限らない。回転ドラム３の開口３０側に設けられた凸部３４が、バッフル３３の頂部側で、回転ドラム３の底面側に偏倚した箇所に切欠部３４ａを有する形状であり、その他の凸部３５が、バッフル３３の頂部側で開口３０側に偏倚した箇所に切欠部３５ａを有する形状であればよい。なお、凸部３４，３５における切欠部３４ａ，３５ａの位置（箇所）は、回転ドラム３の傾斜角度、洗濯物を移動させたい方向等に応じて適宜決定すればよい。
【００４９】
また、回転ドラム３の開口３０側の２つ以上の凸部３４が、バッフル３３の頂部側で、回転ドラム３の底面側に偏倚した箇所に切欠部３４ａを有する形状であり、その他の凸部３５が、バッフル３３の頂部側で開口３０側に偏倚した箇所に切欠部３５ａを有する形状であってもよい。例えば、水槽２及び回転ドラム３が水平方向に横姿勢で支持されている洗濯乾燥機では、開口３０側の２つの凸部３４を、切欠部３４ａが回転ドラム３の底面側に偏倚した位置に配置されるように設け、その他の２つの凸部３５を、切欠部３５ａが開口３０側に偏倚した位置に配置されるように設けてもよい。水槽２及び回転ドラム３が水平方向に横姿勢で支持されている場合、切欠部３４ａ，３５ａの位置が異なる凸部３４，３５をそれぞれ同じ数設けておけば、回転ドラム３内の洗濯物を効率よく回転ドラム３の軸長方向に移動させることができる。なお、凸部３４，３５における切欠部３４ａ，３５ａの位置及びそれぞれの凸部３４，３５の数は、回転ドラム３の傾斜角度、洗濯物を移動させたい方向等に応じて適宜決定すればよい。
【００５０】
また、バッフル３３の両方の側面３３ａに凸部３４，３５を設ける場合に、側面３３ａ毎に凸部３４，３５の数を異ならせてもよい。この場合、回転ドラム３の回転方向に応じて、洗濯物の移動方向を異ならせることができ、洗浄性能を向上させることができる。
更に、本実施形態では、３つのバッフル３３が全て同じ形状に形成されているが、バッフル３３毎に凸部３４，３５の数を異ならせてもよい。
【００５１】
また、洗浄効果を向上させるために蓋部１０の回転ドラム３に対向する側の面、回転ドラム３の内周壁面の適宜箇所に突起が設けられている場合がある。このような場合、バッフル３３に設けられる凸部３４，３５の数及び形状（凸部３４，３５における切欠部３４ａ，３５ａの位置）を、回転ドラム３の傾斜角度、洗濯物を移動させたい方向等と共に、蓋部１０及び回転ドラム３に設けられた突起の位置も考慮して適宜決定すればよい。
【００５２】
以上、図を用いて説明した本実施形態によれば、回転ドラム３が傾斜状態で設けられていることから、要するに、第１凸部である凸部３４に対し、第２凸部である凸部３５の個数を多く設けている。これにより、回転ドラム３の回転により洗濯物が回転ドラム３の底面側へ移動する作用に対し、回転ドラム３の開口側へと移動させる作用を効率よく行える。これに対し、回転ドラム３が水平状態で設けられている場合、第１及び第２凸部３４，３５の個数を同数とすることで洗濯物の前後方向への移動を効果的に行える。
なお、凸部３４，３５は、本実施形態の説明において等間隔に設けることを説明した。しかし、等間隔に設ける必要はなく、ランダムに設けてもよい。例えば、第１凸部３４と第２凸部３５との間隔を、第２凸部３５の各間隔よりも広く（長く）するようにしてもよい。また、それぞれの凸部３４，３５の間隔を異なるようにしてもよい。
【００５３】
上述の実施形態では、本発明に係る洗濯機を、洗濯運転及び乾燥運転の実行が可能な洗濯乾燥機に適用した構成に基づいて説明した。しかし、本発明に係る洗濯機は、洗濯運転のみを行う洗濯機、乾燥運転のみを行う乾燥機にも適用可能である。
【００５４】
以上、本発明の好適な実施形態について具体的に説明したが、各構成及び動作等は適宜変更可能であって、上述の実施形態に限定されることはない。
【符号の説明】
【００５５】
２  水槽
３  回転ドラム
３３  バッフル
３４  凸部（第１凸部）
３５  凸部（第２凸部）
３４ａ  切欠部
３５ａ  切欠部
【図１】
2014042740.tif 000003
【図２】
2014042740.tif 000004
【図３】
2014042740.tif 000005
【図４】
2014042740.tif 000006
【図５】
2014042740.tif 000007